(57)【要約】【課題】バックアップした画像ファイルの中から目的の画像ファイルを容易に検索可能とするバックアップ方法を提供する。【解決手段】画像ファイルのバックアップ時にユーザより受付けた音声を認識し、認識した音声データに対応する検索キーを当該画像ファイルに関連付けてバックアップ先の記憶装置３６に所定のファイル形式で登録する。【選択図】      図３
2006272788.tif 000002
【特許請求の範囲】
【請求項１】
複数の記憶装置間で画像ファイルのバックアップを行うバックアップ制御手段を備える印刷装置であって、
前記バックアップ制御手段は、
ユーザより音声の入力を受付け、該受付けたユーザの音声を認識する音声認識手段と、
前記音声認識手段により認識した音声データに対応する検索キーを前記画像ファイルに関連付けてバックアップ先の記憶装置に所定のファイル形式で登録するキー登録手段と、
を備えることを特徴とする印刷装置。
【請求項２】
前記音声認識手段により認識するキーワードが予め音声キーとして複数登録された音声キーファイルを備え、
前記音声認識手段は、前記音声キーに基づいて前記音声を認識する、
請求項１記載の印刷装置。
【請求項３】
前記キー登録手段は、前記音声認識手段により認識した音声データに対応する前記音声キーのコードを前記検索キーとして登録する、
請求項２記載の印刷装置。
【請求項４】
前記キー登録手段は、前記音声認識手段により認識した音声データ及び／又は該音声データを変換したテキストデータを前記検索キーとして登録する、
請求項１乃至３のいずれか一項記載の印刷装置。
【請求項５】
前記キー登録手段は、バックアップ単位又はバックアップする画像ファイル単位で前記検索キーの登録を行う、
請求項１乃至４のいずれか一項記載の印刷装置。
【請求項６】
前記バックアップ制御手段は、前記音声認識手段により音声入力を受付けるタイミング及び音声認識した結果を前記音声認識手段を通じて音声によりユーザに通知する通知手段を備える、
請求項１乃至５のいずれか一項記載の印刷装置。
【請求項７】
前記通知手段は、前記音声認識手段により音声入力を受付けるタイミング及び音声認識した結果を表示部にテキスト表示してユーザに通知する機能をさらに含む、
請求項６記載の印刷装置。
【請求項８】
前記通知手段は、前記キー登録手段により登録された前記検索キーを前記音声認識手段を通じて音声によりユーザに通知する機能をさらに含む、
請求項６又は７記載の印刷装置。
【請求項９】
前記検索キーに基づいて、前記バックアップ先の記憶装置から当該検索キーに一致する画像ファイルを検索するキー検索手段を備える、
請求項１乃至８のいずれか一項記載の印刷装置。
【請求項１０】
複数の記憶装置間で画像ファイルのバックアップを行うバックアップ方法であって、
ユーザより音声の入力を受付け、該受付けたユーザの音声を認識するステップと、
認識した音声データに対応する検索キーを前記画像ファイルに関連付けてバックアップ先の記憶装置に所定のファイル形式で登録するステップと、
を備えることを特徴とするバックアップ方法。
【請求項１１】
印刷装置により実行され、複数の記憶装置間で画像ファイルのバックアップを行うためのプログラムであって、
前記印刷装置が、
ユーザより音声の入力を受付け、該受付けたユーザの音声を認識するステップと、
認識した音声データに対応する検索キーを前記画像ファイルに関連付けてバックアップ先の記憶装置に所定のファイル形式で登録するステップと、
を実行するためのプログラム。
【請求項１２】
請求項１１記載のプログラムを記憶した記憶媒体。
【発明の詳細な説明】
【技術分野】
【０００１】
この発明は、複数の記憶装置間で画像ファイルのバックアップを行う際に適用して好適な印刷装置、バックアップ方法、プログラム及び記憶媒体に関する。
【背景技術】
【０００２】
近年、プリンタ（印刷装置）にあっては、パーソナルコンピュータ等を接続せずとも、プリンタ単体で複数の記憶装置をアクセスして画像ファイルのバックアップを行うことが可能である。
【０００３】
ところで、ハードディスク（ＨＤＤ）装置やＤＶＤなどに代表される大容量の記憶装置に大量の画像をバックアップした場合には、その後、それらの画像の中から目的の画像を探し出すことが困難となる。この対策としては、例えば、画像ファイルのファイル名や、ファイル保存位置、ファイル作成日付といった情報を検索キーとして利用することが考えられる。
【発明の開示】
【発明が解決しようとする課題】
【０００４】
しかしながら、上記のような情報は、ユーザが任意に設定することができない情報であるため、検索キーとして利用するには不十分なものとなる。即ち、ファイル名やファイル保存位置は、画像撮影した機器やバックアップを行うプリンタにおいて自動的に割り振られる情報であるため、ユーザは、それらを認識することができない。また、ファイル作成日付については、画像撮影した機器で日付設定がされていないと、それを利用することができず、この点からも検索キーとして利用するにはやはり不向きなものとなる。
【０００５】
この発明は、このような従来の実情に鑑みてなされたものであり、その目的は、バックアップした画像ファイルの中から目的の画像ファイルを容易に検索可能とする印刷装置、バックアップ方法、プログラム、及び記憶媒体を提供することにある。
【課題を解決するための手段】
【０００６】
上記目的を達成するため、この発明の第１の態様は、複数の記憶装置間で画像ファイルのバックアップを行うバックアップ制御手段を備える印刷装置であって、前記バックアップ制御手段は、ユーザより音声の入力を受付け、該受付けたユーザの音声を認識する音声認識手段と、前記音声認識手段により認識した音声データに対応する検索キーを前記画像ファイルに関連付けてバックアップ先の記憶装置に所定のファイル形式で登録するキー登録手段と、を備えることを要旨とする。
【０００７】
この構成によれば、音声入力により受付けたユーザの所望の検索キーを画像ファイルに関連付けてバックアップ先の記憶装置に登録することにより、画像ファイルの検索を容易に行うことが可能となる。
【０００８】
上記構成の印刷装置においては、前記音声認識手段により認識するキーワードが予め音声キーとして複数登録された音声キーファイルを備え、前記音声認識手段は、前記音声キーに基づいて前記音声を認識する、といった構成を採用することができる。
【０００９】
この構成によれば、予め登録された音声キーに基づいてユーザの音声を認識することにより、音声認識の認識率を向上させることができる。
上記構成の印刷装置においては、前記キー登録手段は、前記音声認識手段により認識した音声データに対応する前記音声キーのコードを前記検索キーとして登録する、といった構成を採用することができる。
【００１０】
この構成によれば、音声キーのコードを検索キーとして登録することにより、検索キーを登録するファイルサイズを小さくすることができる。
上記構成の印刷装置においては、前記キー登録手段は、前記音声認識手段により認識した音声データ及び／又は該音声データを変換したテキストデータを前記検索キーとして登録する、といった構成を採用することができる。
【００１１】
この構成によれば、音声データを検索キーとして登録することにより、ユーザの任意の単語や文節を検索キーとして登録することができる。また、テキストデータを検索キーとして登録することにより、検索キーを文字入力してファイル検索することが可能となる。
【００１２】
上記構成の印刷装置においては、前記キー登録手段は、バックアップ単位又はバックアップする画像ファイル単位で前記検索キーの登録を行う、といった構成を採用することができる。
【００１３】
この構成によれば、バックアップ単位で検索キーを登録することにより、バックアップ単位での画像ファイルの検索が可能となる。また、画像ファイル単位で検索キーを登録することにより、ファイル個別に登録した検索キーにより検索することが可能となる。
【００１４】
上記構成の印刷装置においては、前記バックアップ制御手段は、前記音声認識手段により音声入力を受付けるタイミング及び音声認識した結果を前記音声認識手段を通じて音声によりユーザに通知する通知手段を備える、といった構成を採用することができる。
【００１５】
この構成によれば、ユーザは、音声通知に基づいて音声の入力を行うことができる。また、ユーザは、音声認識が正しく行われたか否かを音声通知に基づいて確認することができる。
【００１６】
上記構成の印刷装置においては、前記通知手段は、前記音声認識手段により音声入力を受付けるタイミング及び音声認識した結果を表示部にテキスト表示してユーザに通知する機能をさらに含む、といった構成を採用することができる。
【００１７】
この構成によれば、ユーザは、音声入力のタイミング及び音声認識の結果を、音声による通知のみならず、表示部のテキスト表示によっても知ることができる。
上記構成の印刷装置においては、前記通知手段は、前記キー登録手段により登録された前記検索キーを前記音声認識手段を通じて音声によりユーザに通知する機能をさらに含む、といった構成を採用することができる。
【００１８】
この構成によれば、ユーザは、どのような検索キーが登録されているかを、音声による読み上げによって知ることができる。
上記構成の印刷装置においては、前記検索キーに基づいて、前記バックアップ先の記憶装置から当該検索キーに一致する画像ファイルを検索するキー検索手段を備える、といった構成を採用することができる。
【００１９】
この構成によれば、ユーザは、登録されている検索キーを利用して目的の画像ファイルを容易に検索することができる。
この発明の第２の態様は、複数の記憶装置間で画像ファイルのバックアップを行うバックアップ方法であって、ユーザより音声の入力を受付け、該受付けたユーザの音声を認識するステップと、認識した音声データに対応する検索キーを前記画像ファイルに関連付けてバックアップ先の記憶装置に所定のファイル形式で登録するステップと、を備えることを要旨とする。この方法によれば、上述した第１の態様と同様な作用効果を奏するものとなる。
【００２０】
この発明の第３の態様は、印刷装置により実行され、複数の記憶装置間で画像ファイルのバックアップを行うためのプログラムであって、前記印刷装置が、ユーザより音声の入力を受付け、該受付けたユーザの音声を認識するステップと、認識した音声データに対応する検索キーを前記画像ファイルに関連付けてバックアップ先の記憶装置に所定のファイル形式で登録するステップと、を実行するためのプログラムであることを要旨とする。このプログラムによれば、上述した第１の態様と同様な作用効果を奏するものとなる。
【００２１】
この発明の第４の態様は、上記第３の態様に記載のプログラムを記憶した記憶媒体であることを要旨とする。この記憶媒体により提供されるプログラムによれば、上述した第１の態様と同様な作用効果を奏するものとなる。
【発明を実施するための最良の形態】
【００２２】
以下、この発明を具体化した一実施の形態を図面にしたがって説明する。
図１は、本実施の形態に係る印刷装置１を示す斜視図である。この印刷装置１は、一台で、スキャナ、プリンタ、コピーの３機能を備えるインクジェット式複合型カラープリンタである。印刷装置１は、原稿の画像を読み取って画像データとして入力するスキャナ部２と、印刷データに基づく画像を所定の媒体に印刷するプリンタ部３と、操作パネル部４とを備えている。コピー機能は、スキャナ部２で読み取った画像データをプリンタ部３で印刷データに変換し、その印刷データに基づく画像を同プリンタ部３で印刷することにより実現される。
【００２３】
スキャナ部２はプリンタ部３の上に配置され、同スキャナ部２には、原稿を載置するための原稿台ガラス（図示略）と、該原稿台ガラスを覆う原稿台カバー５とが設けられている。原稿台カバー５は、スキャナ部２に開閉可能に設けられている。
【００２４】
印刷装置１の背面上部には、プリンタ部３へ用紙（媒体）を給紙するための給紙部６が設けられ、その給紙部６には、用紙を保持する給紙トレイ７が備えられている。印刷装置１の前面下部には、プリンタ部３により印刷された用紙を排出するための排紙部８が設けられ、その排紙部８には、排紙口を閉塞可能とする排紙トレイ９が備えられている。操作パネル部４は、この排紙部８の上部に設けられている。
【００２５】
操作パネル部４は、ユーザが操作するための操作部１１と各種表示を行うための表示部１２とを備えている。表示部１２には、ディスプレイ１３（例えば液晶ディスプレイ）が備えられ、該ディスプレイ１３には、メニューや各種モードでの設定状態、動作状態などが文字（テキスト）にて表示される。このディスプレイ１３には、画像を表示することも可能となっている。
【００２６】
操作部１１には、ユーザが操作するための各種の操作ボタンが設けられている。一例を紹介すると、本実施の形態においては、操作パネル部４の左側には、電源ボタン１４と、スキャンボタン１５とが設けられている。電源ボタン１４は電源を投入／遮断するためのボタン、スキャンボタン１５はスキャナ部２による原稿の読み取りを開始させるためのボタンである。また、操作パネル部４の右側には、カラーコピーボタン１６と、モノクロコピーボタン１７と、中止ボタン１８とが設けられている。カラーコピーボタン１６はカラーコピーを開始させるためのボタン、モノクロコピーボタン１７はモノクロコピーを開始させるためのボタンである。これらのコピーボタン１６，１７は、コピー機能を使用するときのみならず、印刷を開始させるときの印刷開始ボタンとしても使用される。中止ボタン１８は、実行中のコピーや印刷を中止させるためのボタンである。また、操作パネル部４の中央には、メニューボタン１９と、決定ボタン２０と、設定ボタン２１とが設けられている。メニューボタン１９はディスプレイ１３に表示されるメニューを切り替えるためのボタン、設定ボタン２１は各種モードにおける設定を切り替えるためのボタンであり、メニューボタン１９は左右２つのボタン、設定ボタン２１は上下２つのボタンで構成されている。決定ボタン２０は、メニューボタン１９で選択されたメニューや設定ボタン２１で設定された各種設定を確定するためのボタンである。なお、操作ボタンとしては、ここで列記したものに限定されるものではない。
【００２７】
印刷装置１の前面において、ディスプレイ１３の左側には、スピーカ２２とマイク２３とが配置されている。これらのスピーカ２２及びマイク２３は、本実施の形態においては音声認識機能を実現するためのものである。スピーカ２２は、後述する印刷装置１の内部の処理回路（音声認識エンジン）により生成された音声を出力する。マイク２３は、ユーザにより発せられた音声を集音して生成した音声信号を内部の処理回路（音声認識エンジン）に出力する。
【００２８】
また、印刷装置１の前面において、排紙部１３の右側には、カードスロット２４が設けられている。このカードスロット２４は、例えばＰＣＭＣＩＡ規格に準拠して構成され、同カードスロット２４には、当該規格に準拠したメモリカード２５が挿抜可能にセットされる。メモリカード２５は、書き換え可能な不揮発性のメモリを内蔵し、これには複数の画像ファイルが保存されている。なお、本実施の形態においては、このメモリカード２５をバックアップ元の記録メディア（記憶装置）として利用している。
【００２９】
印刷装置１の側面には、ＵＳＢポート２６，２７が設けられている。ＵＳＢポート２６には、例えばデジタルカメラや外部記憶装置などの外部装置２８（図２）がＵＳＢケーブルを介して接続される。印刷装置１は、この外部装置２８から画像データを読込んで印刷を行ったり、同外部装置２８をバックアップ元／先の記憶装置として利用したりすることも可能である。ＵＳＢポート２７には、例えば、ホスト装置としてのパーソナルコンピュータ２９（図２にＰＣにて示す）がＵＳＢケーブルを介して接続される。印刷装置１は、このＰＣ２９により生成された印刷データに基づいて印刷を行うこともできる。
【００３０】
図２は、印刷装置１の電気的構成を示すブロック図である。なお、図１と同一構成部分には同一符号を付す。
印刷装置１は、中央制御部３１、ＲＯＭ３２、ＲＡＭ３３、印刷エンジン３４、スキャナユニット３５、記憶装置３６、ＵＳＢデバイス制御部３７、カードインターフェース３８、操作パネル制御部３９、音声認識エンジン４０、ＵＳＢホスト制御部４１、電源回路４２を有し、それらはバス４３を介して相互に接続されている。
【００３１】
電源回路４２は、印刷装置１に電源を供給する回路である。中央制御部３１は、ＲＯＭ３２に記憶されたプログラムやデータに基づき、ＲＡＭ３３をワークメモリとして利用しながら各種処理を制御することにより、印刷装置１の動作を統括的に制御する。例えば、中央制御部３１は、ユーザにより操作部１１を通じてなされた操作ボタンの操作にしたがって、その操作に対応したプログラムを実行することにより、印刷装置１によるコピー、プリンタ、スキャナ等の各種機能を実現する。
【００３２】
なお本実施の形態において、印刷装置１をバックアップ制御手段として機能させ、複数の記憶装置間で画像ファイルのバックアップを行うためのプログラム、印刷装置１を音声認識手段として機能させ、音声認識を行うためのプログラム、印刷装置１をキー登録手段として機能させ、後述する検索キーの登録を行うためのプログラム、印刷装置１をキー検索手段として機能させ、登録された検索キーに基づいて画像ファイルの検索を行うためのプログラム、印刷装置１を通知手段として機能させ、音声認識した結果等をユーザに通知するためのプログラム、及び、これらの各プログラムの実行に必要なデータはＲＯＭ３２に記憶されている。なお、これらのプログラムやデータは、記憶媒体（通信媒体を介してアップロード又はダウンロードされたプログラム及びデータを記録した媒体を含む）により提供される。
【００３３】
印刷エンジン３４は、印刷データに基づいて図示しない印刷ヘッドを駆動することにより所定の媒体に対する印刷処理を実行する。スキャナ処理部３５は、スキャナ部２により光学的に読み取られた原稿の画像データに対し公知のライン間補正処理や解像度変換処理等を施すことによりスキャン処理を実行する。
【００３４】
記憶装置３６は、例えばＨＤＤ（ハードディスク）装置により構成され、これには複数の画像ファイルが保存されている。この記憶装置３６に、上述したＲＯＭ３２に記憶するプログラムやデータ等を格納することもできる。なお、本実施の形態では、この記憶装置３６をバックアップ先の記憶装置として利用している。
【００３５】
ＵＳＢデバイス制御部３７は、ＵＳＢポート２７に接続されたＰＣ２９との間でＵＳＢインターフェース規格に従ったデータ通信処理を制御する。カードインターフェース３８は、カードスロット２４にセットされたメモリカード２５との間でＰＣＭＣＩＡインターフェース規格に従ったデータ通信処理を制御する。
【００３６】
操作パネル制御部３９は、ユーザにより操作部１１（操作パネル部４）を通じてなされた操作ボタンの操作に対応する操作信号を中央制御部３１に出力する。中央制御部３１は、この操作信号を受けて、それに対応する処理を行う。また、操作パネル制御部３９は、中央制御部３１から出力された制御信号に基づいて、それに対応する画面を表示部１２（操作パネル部４）に表示させる。
【００３７】
ＵＳＢホスト制御部４１は、ＵＳＢポート２６に外部装置２８が接続されると、接続された外部装置２８をＵＳＢデバイスとして認識し、自身（印刷装置１）をＵＳＢホストとして、同認識した外部装置２８との間でＵＳＢインターフェース規格に従ったデータ通信通信を制御する。
【００３８】
音声認識エンジン４０は、ユーザより音声の入力を受付け、入力された音声を認識する。音声入力の受付けは、操作部１１を通じてユーザによりバックアップを開始する操作がなされたとき、あるいは、操作部１１を通じてユーザにより検索を開始する操作がなされたときに、音声合成により生成した音声を出力してユーザに入力開始タイミングを通知することにより行う。
【００３９】
また、音声認識エンジン４０は、音声認識した結果をユーザに通知する。この場合には、音声認識エンジン４０が認識した音声データに基づいて生成した音声を出力する。これにより、認識結果が正しいか否かの判断をユーザに促す。なお、入力開始タイミング及び音声認識結果の通知は、このような音声出力とともに、表示部１２を通じた文字（テキスト）表示によっても行う。
【００４０】
また、音声認識エンジン４０は、音声認識した結果、それが正しく行われたものであるとユーザにより判断された場合には、その認識した音声データに対応する検索キーを出力する。この検索キーは、後述するバックアップ時におけるキー登録処理、或いは検索時におけるキー検索処理に用いられる。
【００４１】
図３は、キー登録処理／キー検索処理に係る機能構成部分を示す要部ブロック図である。同図に示すように、音声認識エンジン４０は、音声応答部５１と音声分析部５２とから構成されている。
【００４２】
音声応答部５１は、上述したスピーカ２２やマイク２３の他、図示しないＤＡ変換器やＡＤ変換器を備え、ユーザより受付けた入力音声（アナログデータ）を音声データ（デジタルデータ）に変換して音声分析部５２へ出力するとともに、音声分析部５２から出力された音声データを音声に変換して出力（再生）する。
【００４３】
音声分析部５２は、音声データの特徴を分析して音声認識を行う処理部である。具体的には、音声分析部５２は、音声認識するキーワード（単語／文節）が予め音声キーとして複数登録された音声キーファイルＦ１１に基づいて、それに登録されている音声キーから生成した音声データと、音声応答部５１から出力された音声データとを照合することにより、それらのうち最も近いものを認識結果として音声応答部５１に出力する。これにより音声分析部５２での音声認識の結果が音声応答部５１から出力される。
【００４４】
さらに、音声分析部５２は、音声キーに基づいて音声認識した結果、それが正しく行われたものであるとユーザにより判断された場合には、その認識した音声データに対応する音声キーのコードを検索キーとしてキー登録／検索部５３に出力する。即ち、図４に示すように、音声キーファイルＦ１１には、例えば、「運動会」，「文化祭」，…などの複数の音声キー６１が、それら各音声キー６１に対応したコード６２（「０１」，「０２」，…）と関連付けて登録されており、音声分析部５２は、この音声キー６１に関連付けられたコード６２を検索キーとしてキー登録／検索部５３に出力する。
【００４５】
キー登録／検索部５３は、音声分析部５２から出力された検索キー（音声キー６１のコード６２）に基づいて、キー登録／キー検索を行う処理部である。
キー登録処理は、画像ファイルのバックアップ時において、音声分析部５２から出力された検索キーを、当該バックアップする画像ファイルに関連付けてメタファイルＭＦ１に記載し、このメタファイルＭＦ１をバックアップ先の記憶装置３６に書き込む処理である。本実施の形態においては、このような検索キーの登録を、バックアップする画像ファイル単位で行うことが可能である。キー検索処理は、画像ファイルの検索時において、音声分析部５２から出力された検索キーに基づき、当該検索キーに一致する（関連付けられている）画像ファイルを検索する処理である。このようなキー登録処理／キー検索処理は、中央制御部３１が実行するプログラムにより実現される。
【００４６】
図５（ａ）は、メタファイルＭＦ１の記載例を示す概念図である。
メタファイルＭＦ１には、バックアップした画像ファイルのファイル保存情報Ｄ１１と、当該バックアップした画像ファイルに関連付けられた検索キーを表す検索キー情報Ｄ１２とが記載される。なお、同図（ａ）に示す例では、「ＩＤ０００２００」のファイルＩＤによって、ファイルＩＤが「ＩＤ０００２０１」の画像ファイルに、コード６２が「０１」の検索キーが関連付けられている。
【００４７】
図６は、上記印刷装置１によるバックアップ処理を示すフローチャートである。
まずステップＳ１００において、ユーザによりバックアップする画像ファイルが記憶されたメモリカード２５がカードスロット２４に挿入される。
【００４８】
次にステップＳ１１０において、ユーザにより操作部１１を通じて「バックアップ」メニューが選択され、バックアップ開始操作が実行される。
次にステップＳ１２０において、印刷装置１は、ユーザによりバックアップ開始操作がなされたと判断すると、音声ならびに表示部１２を通じた文字表示によりユーザに音声の入力開始タイミングを通知して、音声の入力を促す。
【００４９】
次にステップＳ１３０において、印刷装置１は、ユーザより受付けた音声を認識して、該認識した音声データに基づく音声（音声キー６１として登録されている単語又は文節）を再生する。なお、このときには、表示部１２への表示も併せて行う。
【００５０】
次にステップＳ１４０において、当該認識した単語又は文節が正しいか否かがユーザにより判断される。
このとき、音声認識が間違って行われているとユーザにより判断された場合（ステップＳ１４０：ＮＯ）には、印刷装置１は、上記ステップＳ１２０に戻って再度ユーザに音声入力を促す。
【００５１】
一方、音声認識が正しく行われているとユーザにより判断された場合（ステップＳ１４０：ＹＥＳ）には、印刷装置１は、ステップＳ１５０に移行し、メモリカード２５に記憶されている画像ファイルを記憶装置３６にバックアップする。
【００５２】
次にステップＳ１６０において、印刷装置１は、バックアップした画像ファイルに当該認識した音声データ（音声キー６１）に対応する検索キー（コード６２）を関連付けてメタファイルＭＦ１に記載し、このメタファイルＭＦ１をバックアップ先の記憶装置３６に書き込む。これにより、バックアップ処理を終了する。
【００５３】
図７は、上記印刷装置１による検索処理を示すフローチャートである。
まずステップＳ２００において、ユーザにより操作部１１を通じて「検索」メニューが選択され、検索開始操作が実行される。
【００５４】
次にステップＳ２１０において、印刷装置１は、ユーザにより検索開始操作がなされたと判断すると、音声ならびに表示部１２を通じた文字表示によりユーザに音声の入力開始タイミングを通知して、音声の入力を促す。
【００５５】
次にステップＳ２２０において、印刷装置１は、ユーザより受付けた音声を認識して、該認識した音声データに基づく音声（音声キー６１として登録されている単語又は文節）を再生する。なお、このときには、表示部１２への表示も併せて行う。
【００５６】
次にステップＳ２３０において、当該認識した単語又は文節が正しいか否かがユーザにより判断される。
このとき、音声認識が間違って行われているとユーザにより判断された場合（ステップＳ２３０：ＮＯ）には、印刷装置１は、上記ステップＳ２１０に戻って再度ユーザに音声入力を促す。
【００５７】
一方、音声認識が正しく行われているとユーザにより判断された場合（ステップＳ２３０：ＹＥＳ）には、印刷装置１は、ステップＳ２４０に移行し、当該認識した音声データ（音声キー６１）に対応する検索キー（コード６２）に基づいて、その検索キーに一致する画像ファイルを記憶装置３６から検索する。
【００５８】
次にステップＳ２５０において、印刷装置１は、当該検索した画像ファイルを記憶装置３６から読み出し、その画像ファイルに基づく印刷を行う。これにより、検索処理を終了する。
【００５９】
以上記述したように、本実施の形態によれば、以下の効果を奏する。
（１）画像ファイルのバックアップ時に、ユーザから音声入力により受付けた検索キーを画像ファイルに関連付けてメタファイルＭＦ１に記載し、このメタファイルＭＦ１をバックアップ先の記憶装置３６に書き込むようにした。これにより、ユーザがその後、画像ファイルを検索する際には、目的とするファイルを容易に検索することができる。
【００６０】
（２）音声キーファイルＦ１１に登録された音声キー６１に基づいて音声認識を行うようにした。これにより、音声認識の認識率を向上させることができる。
（３）メタファイルＭＦ１には、音声キー６１のコード６２を検索キーとして登録するようにした。これにより、メタファイルＭＦ１のファイルサイズを小さくできる。
【００６１】
（４）検索キー（コード６２）の登録をバックアップする画像ファイル単位で行うようにした。これにより、ファイル個別に登録した検索キーにより検索を行うことが可能となる。
【００６２】
（５）音声入力のタイミング及び音声認識の結果を、音声によりユーザに通知するようにした。これにより、ユーザは、音声通知に基づいて音声の入力を行うことができる。また、音声認識が正しく行われたか否かを音声通知に基づいて確認することができる。
【００６３】
（６）音声入力のタイミング及び音声認識の結果を、音声とともに、表示部１２に表示して通知するようにした。これにより、ユーザは、音声入力のタイミングや認識結果を表示部１２上でも確認することができる。
【００６４】
なお、上記実施の形態では、以下の態様に変更した変形例を採用してもよい。
（変形例１）音声分析部５２による音声認識を、音声キーファイルＦ１１に登録されている音声キー６１に基づいて行うものとしたが、例えば、公知の人物学習機能等を利用した音声データそのものによる比較を行うようにしてもよい。
【００６５】
（変形例２）検索キーの登録はバックアップ単位で行うようにしてもよい。こうすれば、検索キーを利用してバックアップ単位で画像ファイルの検索を行うことが可能となる。
（変形例３）検索開始時に、メタファイルＭＦ１に登録されている検索キーを読み上げるようにしてもよい。こうすれば、ユーザは、どのような検索キーが登録されているかを知ることができる。
【００６６】
（変形例４）メタファイルＭＦ１に登録する検索キーとしては、音声キー６１のコード６２に限定されない。例えば、図５（ｂ）に示すように、音声分析部５２で認識した音声データを検索キー（検索キー情報Ｄ１３）として登録するようにしてもよい。なお、同図（ｂ）に示すメタファイルＭＦ２の記載例では、ファイルＩＤ「ＩＤ０００２００」によって、ファイルＩＤ「ＩＤ０００２０１」の画像ファイルに、ファイルＩＤ「ＩＤ０００２０２」のウェーブファイルが関連付けられて登録されている様子を示す。このように、音声データそのものを登録するようにすれば、ユーザの任意の検索キーを登録することができる。また、その他、音声データから変換したテキストデータを検索キーとして登録するようにしてもよい。このようなテキストデータとすれば、検索キーを文字入力してファイル検索することが可能となる。
【００６７】
（変形例５）記憶装置３６としては、ＨＤＤ装置に限定されず、ＣＤ−ＲやＤＶＤなどの記憶メディアに対する書き込み／読み出しを可能とする装置であってもよい。
（変形例６）検索キーの利用例としては、その他、例えば登録した検索キーを文字列化してサムネイル形式の画像とともに一覧印刷（いわゆるオーダーシートの印刷）し、検索キーをオーダーシート指定印刷する場合の付加情報として利用するといったことが考えられる。
【００６８】
（変形例７）印刷装置１は、図１に示す複合型プリンタに限定されない。
（変形例８）その他上記実施の形態、及び上記各変形例で述べた構成における設計的事項は、本発明の技術的思想の範囲内において適宜変更することができる。
【図面の簡単な説明】
【００６９】
【図１】一実施の形態に係る印刷装置を示す斜視図。
【図２】印刷装置の電気的構成を示すブロック図。
【図３】キー登録処理／キー検索処理に係る機能構成部分を示す要部ブロック図。
【図４】音声キーファイルを示す概念図。
【図５】（ａ），（ｂ）はメタファイルの記載例を示す概念図。
【図６】バックアップ処理を示すフローチャート。
【図７】検索キーを利用した検索処理を示すフローチャート。
【符号の説明】
【００７０】
１：印刷装置、４：操作パネル部、１１：操作部、１２：表示部、１３：ディスプレイ、２２：スピーカ、２３：マイク、２４：カードスロット、２５：メモリカード、３１：中央制御部、３２：ＲＯＭ、３３：ＲＡＭ、３４：印刷エンジン、３６：記憶装置、３８：カードインターフェース、３９：操作パネル制御部、４０：音声認識エンジン、５１：音声応答部、５２：音声分析部、５３：キー登録／検索部、６１：音声キー、６２：コード、Ｆ１１：音声キーファイル、ＭＦ１，ＭＦ２：メタファイル。
【図１】
2006272788.tif 000003
【図２】
2006272788.tif 000004
【図３】
2006272788.tif 000005
【図４】
2006272788.tif 000006
【図５】
2006272788.tif 000007
【図６】
2006272788.tif 000008
【図７】
2006272788.tif 000009